(57)【要約】      （修正有）【課題】ゴルフクラブのヘッドフェース角度を迅速、且つ、容易に変更すると共に、所望の角度への微調整を可能とし、一本のクラブでパターも含め、ほとんどすべての番手のゴルフクラブの代用となるゴルフクラブを提供する。【解決手段】クラブヘッド１の内部にクラブシャフトL脚部２ｂの収容部を設けると共に、ヘッドのシャフト挿入孔１ｄにフェース角度調整溝４を設ける。一方、シャフトL脚部に弾性体６を介装すると共に、シャフト基端部周縁にフェース角度調整溝を設ける。ヘッド或いはシャフトを回動させてそれぞれの調整溝を噛みあわせ、所望のフェース角度に設定する。【選択図】図1
0003135863.tif 000002
【実用新案登録請求の範囲】
【請求項１】
クラブヘッドの内部を切り欠いてL字型に折曲したクラブシャフトL脚部を収容する収容部を設けると共に、ヘッドのグラブシャフト挿入孔にフェース角度調整溝を形成し、クラブシャフトL脚部に弾性体を介装し、クラブシャフト基端部周縁に角度調整溝を設けたことを特徴とするフェース角度調整可能なゴルフクラブ。
【考案の詳細な説明】
【技術分野】
【０００１】
この考案はフェース角の調整機能を具備したゴルフクラブに関するものであり、さらに詳しくは、任意のフェース角に迅速、且つ、容易に微調整することを可能としたゴルフクラブヘッドに関するものである。
【背景技術】
【０００２】
ドライバーや、ウッドと称されるゴルフクラブのヘッドのフェース面とシャフトの中心線との間の角度であるフェース角度はひとつの角度に固定されており、調節することができなかった。
【０００３】
フェース角度を調整できるゴルフクラブとして、ヘッド本体のホーゼルに上端が開口し、且つ、底面がソールのヒールよりに位置する挿入穴を有するゴルフクラブヘッドと当該挿入穴にシャフトと共に挿入される角度調整パーツとこれを固定するボルトから構成される特許文献１記載の考案がある。
【０００４】
また、ゴルフクラブシャフトの先端部を収容する筒状のシャフト角度ケースをクラブヘッド内部に配設するとともにクラブシャフト移動阻止体と、シャフト角度調節ケースに形成したネジ孔にフェース角度調節ネジ又はライ角度調節ネジを進退させてライ角度、フェース角度を調節する角度調節可能なゴルフクラブがある(特許文献２)。
【特許文献１】特開２00４-２４２９３号公報
【特許文献２】特開２00６-４２９５１号公報
【考案の開示】
【考案が解決しようとする課題】
【０００５】
クラブヘッドのフェース角は固定されて形成されているため、ゴルフボールを打つ状況ごとに、使用者は特定の番手のクラブを選択しなければならず、通常１0本から１５本程度のゴルフクラブを用意し、これらを競技中運び回らなければならなかった。
【０００６】
多数本のゴルフクラブはゴルフ場まで使用者自身が持ち運びをするにも重く、ゴルフ場においては使用者自身が持ち運びをするには不便なため、キャディーを依頼したり、カートと呼ばれる四輪車:を用いて、自身で運んだりするが、これらには通常費用がかかる。
【０００７】
また、状況に適切なゴルフクラブを選ぶのにも時間がかかり、競技の進行が遅れる。さらに、複数のゴルフクラブを買い揃えるには費用がかさみ、また保管揚所にも困るため、必要最小限のゴルフクラブを揃えて、最適なゴルフクラブがない揚合はその角度にもっとも近いフェース角度を有する番手のクラブを使用せざるを得なかった。
【０００８】
特許文献１記載のゴルフクラブはゴルファーの体型や好みに応じてライ角、フェース角等を調節することができるとあるが、熱軟化性接着剤を介してシャフト先端部を嵌入させた、あらかじめ角度を調節した角度調節パーツをヘッドの挿入孔に挿入後、角度調節パーツをネジで固定するため、ゴルフ場でその場の状況に応じてフェース角を容易に変更できるものではない。
【０００９】
同様に特許文献２記載のゴルフクラブもシャフト角度調節ケース内にシャフトの移動阻止体と共に接着剤を充填後、クラブシャフトを同ケース内に進入させて、最適なライ角度およびフェース角度に傾斜させた後、ライ角度調節ネジおよびフェース角度調節ネジを螺入して調節し、接着剤が固まるまで数時間放置することが必要となる。また、ライ角度やフェース角度を変更したいときは接着剤を溶かして再度同じ手順を繰り返さなければならない。
【００１０】
すなわち、先行技術はどちらも、プレイヤーの好みや体型に応じてゴルフクラブのライ角度やフェース角度等を調整できるものではあるが、最適の角度に固定してしまう点では従来のゴルフクラブと同様であり、ゴルフ場において状況に応じてその場で素早くフェース角度を変更できるものではない。
【００１１】
そこで、本考案では、ゴルフクラブのヘッドのフェース角度を所望角度に微調整でき、しかもそれを迅速、且つ、容易に行えるとともに、その固定が強固で安定するゴルフクラブを提供することを目的とする。
【課題を解決するための手段】
【００１２】
クラブヘッドの内部にＬ字形に折曲したクラブシャフトＬ脚部を収容する収容部を形成すると共に、クラブシャフト挿入孔の内周面にフェース角度調整溝を設ける。一方、クラブシャフトＬ脚部に弾性体を介装すると共に、クラブシャフト基端部周縁にフェース角度調整溝を設けるのである。ヘッド或いはシャフトを回動させて、ヘッドに設けた角度調整溝と、シャフトに設けた角度調整溝を噛みあわせ、ゴルフクラブを所望のフェース角度に設定するのである。
【考案の効果】
【００１３】
本考案にかかるゴルフクラブによれば、フェース角をその場の状況に応じて、迅速、且つ、簡便に調整でき、しかも最適の角度に微調整が可能である。さらに、シャフトの溝と、ヘッドに設けた溝が強固に噛み合うため、選択したフェース角がボールインパクト時の衝撃で変わることがない。
【００１４】
従って、一本のゴルフクラブでほとんどすべての番手のゴルフクラブが有するフェース角に設定でき、平らなソール面を打球面とすることでパターにもなる。従って、本考案品のゴルフクラブ一本ですべての状況に対応できるのである。すなわち、複数のゴルフクラブを用意する必要がなく、購入費用を削減できるとともに、保管場所もとらない。なにより、ゴルフ場へ運ぶ際に軽量で済み、また、ゴルフ場でキャディーを雇ったり、カートをレンタルする必要がなく、余計な費用がかからない。ゴルフ人口が高齢化すれば、持ち運ぶゴルフクラブの本数を減らし、このような減量化を図ることは大きな効果をもたらすものである。
【考案を実施するための最良の形態】
【００１５】
図１および図２には本考案にかかるフェース角度変更可能なゴルフクラブの実施形態が示されている。ここではアイアンのゴルフクラブを用いて説明する。
【００１６】
グラブヘッド(以下「ヘッド」と略す)１はチタン等の金属材料で形成されている。クラブヘッド１はフェース面１ａ、ソール面１ｂを有し、ソール面１ｂにはＬ字型に折曲したシャフト２のＬ脚部２ｂを挿入する収納部１cがソール面１ｂに平行に、半円筒形状にヘッド１をえぐって形成されている。ヘッド１のシャフト挿入孔１dの内周面には細かい角度調整溝３が多数形成されている。
【００１７】
シャフト２のＬ字型脚部２ｂの外周面２dにも同様に細かい角度調整溝４が多数形成されており、角度調整溝３と４は互いに嵌合する。
【００１８】
Ｌ字型脚部２ｂには押圧バネ６とリング７を介装するとともにシャフト先端２ａ周縁に切欠した溝にストッパ８を嵌合して押圧バネ６の抜け落ちを防止するとともに、バネを押圧する。シャフト挿入孔１dの空洞部１c側には鍔部５を形成し、鍔部５とリング７とでバネ６が押圧されている。
【００１９】
次にゴルフクラブ９の作用について説明する。
【００２０】
プレイヤーはヘッド１を片手で把持すると共に他方の手でシャフト２の基端部２c付近を把持して手前にシャフトＬ脚部２ｂを引き出しながらシャフト挿入孔の溝３とシャフトの溝４の嵌合を解除する。次に、シャフト２を右あるいは左に回動させてフェース面１ａを所望角度に傾斜させてフェース角度を設定する。その後、シャフト２をヘッド１に戻して角度調整溝３及び４を再び嵌合させてシャフト２をヘッド１に固定するのである。このとき、空洞部１cではシャフト２のＬ脚部２ｂが外へ引っ張られると同時にバネ６が押圧リング７と鍔部５に押圧されて縮小する。シャフト２を解放すると同時にバネ６が付勢された方向、すなわち、押圧リング７を元の位置へと押し戻すのである。
【００２１】
図１ではシャフトＬ脚部２ｂを収容する収容部は半円筒形状にえぐられており、Ｌ脚部２ｂバネ６等は露出しているが、ゴルフ場の芝や砂の進入を防ぐために、空洞部としてヘッド内に形成したり、蓋（図示せず）で密封してもよい。
【００２２】
角度調整溝３及び４は細かく形成されているので、フェース角度も細かく微調整可能であると共に、強固に固定されるためスィング時やボールインパクト時でも衝撃でその位置が変わることがない。
【００２３】
本願考案品によるゴルフクラブはパターとして利用することもできる。図３に示すように、シャフト２を把持しながら引き出し、ヘッド１を回転させて、ソール面１ｂが地面に対し、鉛直となるように調整するのである。パター時の打球面１ｂは高さ２．５cmから３．０cm程度である。
【００２４】
本考案は以上において説明した形態に限定されるものではなく、調整溝の形状や数は図示されたものに限らず、また、シャフト先端部に介装する弾性体もバネに限らない。また、ヘッド空洞部も半円筒形以遡に形成してもよい。
また、前記ゴルフクラブにはアイアンだけでなくいわゆるウッドも含まれる。
【産業上の利用可能性】
【００２５】
本考案はアイアンだけでなく、いわゆるウッド(ドライバー、フェアウェイウッド)に
も利用可能である。
【図面の簡単な説明】
【００２６】
【図１】ヘッド部分の一部破断拡大図。
【図２】ヘッド部分の正面図。
【図３】ヘッドをパターとして使用する状態を示す説明図。
【符号の説明】
【００２７】
１、  ヘッド
１ａ、フェース面
１ｂ、ソール面
１c、空洞部
１d、シャフト挿入孔
２、シャフト
２ａ、先端部
２ｂ、Ｌ脚部
２c、基端部
３、４、角度調整溝
５、鍔部
６、押圧バネ
７、リング
８、ストッパ
９、ゴルフクラブ
【図１】
0003135863.tif 000003
【図２】
0003135863.tif 000004
【図３】
0003135863.tif 000005
【手続補正書】
【提出日】平成19年7月8日(2007.7.8)
【手続補正１】
【補正対象書類名】実用新案登録請求の範囲
【補正対象項目名】全文
【補正方法】変更
【補正の内容】
【実用新案登録請求の範囲】
【請求項１】
クラブヘッドの内部にＬ字型に折曲したクラブシャフトＬ脚部を収容する収容部を設けると共に、ヘッドのグラブシャフト挿入孔にフェース角度調整溝を形成し、クラブシャフトＬ脚部に弾性体を介装し、クラブシャフト基端部周縁に角度調整溝を設けたことを特徴とするフェース角度調整可能なゴルフクラブ。
【手続補正書】
【提出日】平成19年7月8日(2007.7.8)
【手続補正１】
【補正対象書類名】明細書
【補正対象項目名】００２１
【補正方法】変更
【補正の内容】
【００２１】
図１ではシャフトＬ脚部２ｂを収容する収容部は半円筒形状にえぐられており、Ｌ脚部２ｂやバネ６等は露出しているが、ゴルフ場の芝や砂の進入を防ぐために、空洞部としてヘッド内に形成するか、蓋（図示せず）等で密封するほうが望ましい。